(57)【要約】      （修正有）【課題】年賀はがきと一緒に差し出すことができ、しかも受取人は、当該はがきが喪中の人からだと理解できるはがきを提供する。【解決手段】表面の上部左に切手貼付又は切手印刷の部位を設け、略中央上部に郵便はがきの表示をし、当該表示部下部には郵便番号記入枠を設けると共に、下端部にはくじ番号表示部を設け、その左上部に差出人の郵便番号記入枠を設けたはがきにおいて、郵便番号記入枠及び切手を含むこれらの印刷色を、紫、薄紫、薄墨色等、喪に相応しい色にて印刷したことを特徴とするはがきであり、更には、前記切手印刷部位の下方に、蓮花、菊花等のイラストと「やすらぎ」等、喪に相応しいイラスト及び文字を表現したことを特徴とする。【選択図】図１
0003147900.tif 000002
【実用新案登録請求の範囲】
【請求項１】
表面の上部左に切手貼付又は切手印刷の部位を設け、略中央上部に郵便はがきの表示をし、当該表示部下部には郵便番号記入枠を設けると共に、下端部にはくじ番号表示部を設け、その左上部に差出人の郵便番号記入枠を設けたはがきにおいて、郵便番号記入枠及び切手を含むこれらの印刷色を、紫、薄紫、薄墨色等、喪に相応しい色にて印刷したことを特徴とするはがき。
【請求項２】
前記切手印刷部位の下方に、蓮花、菊花等のイラストと「やすらぎ」等、喪に相応しいイラスト及び文字を表現したことを特徴とする請求項１のはがき。
【考案の詳細な説明】
【技術分野】
【０００１】  本考案は、喪中を表現しながら、且つ年賀はがきと一緒に出すことができるはがきに関するものである。
【背景技術】
【０００２】  従来、喪中の場合は年賀はがきを出したり受け取ることを止めるという慣習があり、従って年賀はがきに変えて年末に喪中はがきを別に出していた。【０００３】    送られてきた年賀はがきは、ほとんどの人々が整理をして翌年に出すための管理をしているものであるが、年末に喪中はがきが来ると年賀はがきと一緒に管理が出来ないことがあり、それによって翌年、その差出人に年賀はがきが送れないという問題もあった。【０００４】  しかし、喪中であるから新しい年の挨拶も出来ないということはなく、はがきそのものを特定のはがきとすれば年賀はがきと一緒に送られてきても、差出人が喪中であることは理解できるものである。
【考案の開示】
【考案が解決しようとする課題】
【０００５】  解決しようとする課題は、年賀はがきと一緒に差し出すことができ、しかも受取人は、当該はがきが喪中の人からだと理解できるはがきを開発することが考案が解決しようとする課題である。
【課題を解決するための手段】
【０００６】  課題を解決するための手段としては、細部の工夫は別にしても、年賀はがきとは印刷色を変えること、これが課題を解決するための手段である。
【考案の効果】
【０００７】  本考案は、表面の上部左に切手貼付又は切手印刷の部位を設け、略中央上部に郵便はがきの表示をし、当該表示部下部には郵便番号記入枠を設けると共に、下端部にはくじ番号表示部を設け、その左上部に差出人の郵便番号記入枠を設けたはがきにおいて、郵便番号記入枠及び切手を含むこれらの印刷色を、紫、薄紫、薄墨色等、喪に相応しい色にて印刷したことを特徴とするはがきであり、更には、  前記切手印刷部位の下方に、蓮花、菊花等のイラストと「やすらぎ」等、喪に相応しいイラスト及び文字を表現したことを特徴とする請求項１のはがきであるから、当該はがきの印刷色が紫、薄紫、薄墨色等、喪に相応しい色となっているので、印刷色が朱色の年賀はがきとは容易に区別することができ、受取人は差出人が喪中であることを用意に理解できる。また裏面に書く内容を年賀の文言に限定されるものでなく、哀悼の意を表現してもよい。また従来投函されている喪中のはがきは単なるはがきであるが、年賀はがきにはくじがついており、一般の受取人もであるが、特に子供はこのくじを楽しみにしていることが多いことからも、当該喪中を表現するはがきにもくじがついているので喜ばれるものである。また、はがきを受け取った側も、年賀はがきと一緒に整理し管理することができ、翌年に喪中はがきを見落として年賀を出すことを忘れる等の問題もない等、その実用的効果は誠に顕著なものである。
【考案を実施するための最良の形態】
【０００８】  表面の上部左に切手貼付又は切手印刷の部位を設け、略中央上部に郵便はがきの表示をし、当該表示部下部には郵便番号記入枠を設けると共に、下端部にはくじ番号表示部を設け、その左上部に差出人の郵便番号記入枠を設けたはがきにおいて、郵便番号記入枠及び切手を含むこれらの印刷色を、紫、薄紫、薄墨色等、喪に相応しい色にて印刷したことを特徴とするはがきであり、更には、前記切手印刷部位の下方に、蓮花、菊花等のイラストと「やすらぎ」等、喪に相応しいイラスト及び文字を表現したことを特徴とする請求項１のはがきを呈せんとするものである。
【実施例１】
【０００９】  はがき１の表面の上部左に切手貼付又は切手印刷の部位２を設け、略中央上部に郵便はがきの表示３をし、当該表示部３下部には郵便番号記入枠４を設けると共に、下端部にはくじ番号表示部５を設け、その左上部に差出人の郵便番号記入枠６を設け、更に、郵便番号記入枠４及び切手２を含むこれらの印刷色を、紫、薄紫、薄墨色等、喪に相応しい色にて印刷している。【００１０】  前記切手印刷部位２の下方に、蓮花、菊花等のイラストと「やすらぎ」等、喪に相応しいイラスト及び文字７を表現している。イラストの種類及び形状は実施例に限定を受けるものではなく、また単に印刷色のみを喪に相応しい色として当該イラスト及び文字はなくてもよい。【００１１】  年賀はがきにおいて年賀の挨拶文等を書く裏面には、年賀の挨拶文に限定されるものではなく、受け取り側が喪に服している場合には、哀悼の意を示す文言を書き込んでも良い。【００１２】  くじ番号表示部５に印刷されるくじ番号は、特定の番号ではなく年賀はがきと共通の番号でよい。
【産業上の利用可能性】
【００１３】  本考案は、表面の上部左に切手貼付又は切手印刷の部位２を設け、略中央上部に郵便はがきの表示３をし、当該表示部３下部には郵便番号記入枠４を設けると共に、下端部にはくじ番号表示部５を設け、その左上部に差出人の郵便番号記入枠６を設けたはがきにおいて、郵便番号記入枠４及び切手２を含むこれらの印刷色を、紫、薄紫、薄墨色等、喪に相応しい色にて印刷したことを特徴とするはがき１であり、更には、  前記切手印刷部位２の下方に、蓮花、菊花等のイラストと「やすらぎ」等、喪に相応しいイラスト及び文字７を表現したことを特徴とするはがき１であるから、当該はがき１の印刷色が紫、薄紫、薄墨色等、喪に相応しい色となっているので、印刷色が朱色の年賀はがきとは容易に区別することができ、受取人は差出人が喪中であることを用意に理解できる。また裏面に書く内容を年賀の文言に限定されるものでなく、哀悼の意を表現してもよい。また従来投函されている喪中のはがきは単なるはがきであるが、年賀はがきにはくじがついており、一般の受取人もであるが、特に子供はこのくじを楽しみにしていることが多いことからも、当該喪中を表現するはがき１にもくじがついているので喜ばれるものである。また、はがきを受け取った側も、年賀はがきと一緒に整理し管理することができ、翌年に喪中はがきを見落として年賀を出すことを忘れる等の問題もない。しかも、年末の年賀はがきが大量に投函される時期に、当該年賀はがきに混じって投函される喪中のはがきというのは、それを選別し配達する郵便局の労も大変なものであり、別に区別することなく年賀はがきと一緒に選別でき、新年に配達できるとなれば、その実用的効果は誠に顕著なものである。
等、産業上での利用可能性は極めて大きいものがある。
【図面の簡単な説明】
【００１４】
【図１】  はがきの表面図である。
【符号の説明】
【００１５】  １  はがき
２  切手印刷部位
３  郵便はがきの表示
４  郵便番号記入枠
５  くじ番号表示部
６  差出人郵便番号
７  イラスト及び文字
【図１】
0003147900.tif 000003
【手続補正書】
【提出日】平成20年10月21日(2008.10.21)
【手続補正１】
【補正対象書類名】図面
【補正対象項目名】全図
【補正方法】変更
【補正の内容】
【図１】
0003147900.tif 000004